(57)【要約】【課題】全熱交換と除加湿を単一の除加湿ロータで行うことができ、しかも除湿または加湿を換気と同時にかつ連続的に行うことのできる換気装置を提供する。【解決手段】室内空気を建物の外へ排出する排気ファン３２と、建物の外の外気を吸い込み室内へ給気する給気ファン３３と、室内空気の流れに沿って排気ファン３２の下流側でかつ外気の流れに沿って給気ファン３３の上流側に設置され、回転しながら室内空気と外気との間で湿分の授受を行い、少なくとも除加湿および全熱交換を行う除加湿ロータ２７と、室内空気の流れに沿って排気ファン３２と除加湿ロータ２７との間に設置され、除加湿ロータ２７に流入する室内空気を加熱可能なヒータ３０と、外気の流れに沿って除加湿ロータ２７の上流側に設置され、除加湿ロータ２７に流入する外気を加熱可能なヒータ３１とを備え、室内空気と外気を除加湿ロータ２７にその回転軸に沿って同じ方向に流すようにする。【選択図】        図１
2005016810.tif 000002
【特許請求の範囲】
【請求項１】
室内空気を吸引し建物の外へ排出するとともに、建物の外の外気を吸い込んで室内に給気して、前記建物内の部屋の換気を行い、全熱交換および少なくとも除湿または加湿を行う全熱除加湿手段を用いた換気装置であって、
前記部屋に給気する外気に対して除湿または加湿を換気と同時にかつ連続的に行う機能を備えたことを特徴とする換気装置。
【請求項２】
室内空気を吸引し建物の外へ排出するとともに、建物の外の外気を吸い込んで室内に給気して、前記建物内の部屋の換気を行う換気装置であって、
前記室内空気および前記外気の流路内に設置され、回転しながら室内空気と外気との間で湿分の授受を行い、少なくとも除湿または加湿を行う除加湿および全熱交換を行う除加湿ロータと、
前記室内空気と前記外気を、前記除加湿ロータにその回転軸に沿って同じ方向に流す流れ方向制御手段と、
前記流れ方向制御手段によって流れ方向が制御された前記室内空気および前記外気を、前記除加湿ロータの上流側でそれぞれ別個に加熱可能なヒータと、を備えたことを特徴とする換気装置。
【請求項３】
回転駆動されて室内空気を建物の外へ排出する排気ファンと、
回転駆動されて建物の外の外気を吸い込み室内へ給気する給気ファンと、
前記室内空気の流れに沿って前記排気ファンの下流側でかつ前記外気の流れに沿って前記給気ファンの上流側に設置され、回転しながら前記室内空気と前記外気との間で湿分の授受を行い、少なくとも除湿または加湿を行う除加湿および全熱交換を行う除加湿ロータと、
前記室内空気と前記外気を、前記除加湿ロータにその回転軸に沿って同じ方向に流す流れ方向制御手段と、
前記室内空気の流れに沿って前記排気ファンと前記除加湿ロータとの間に設置され、前記除加湿ロータに流入する前記室内空気を加熱可能な室内空気用ヒータと、
前記外気の流れに沿って前記除加湿ロータの上流側に設置され、前記除加湿ロータに流入する前記外気を加熱可能な外気用ヒータと、を備えたことを特徴とする換気装置。
【請求項４】
前記排気ファンおよび前記給気ファンは、１つのモータで回転駆動されることを特徴とする請求項３に記載の換気装置。
【請求項５】
請求項１〜４のいずれか１項に記載の換気装置を備えたことを特徴とする住宅構造。
【発明の詳細な説明】
【０００１】
【発明の属する技術分野】
本発明は換気装置に係り、特に２４時間連続して運転される換気装置に関するものである。
【０００２】
【従来の技術】
近年、除加湿ロータを用いて、室内の除湿および加湿を行う換気装置が知られている。このような換気装置は、排気ファン、給気ファン、室内空気用ヒータ、外気用ヒータ、および除加湿ロータを備えている（例えば、特許文献１参照）。
【０００３】
そして上記換気装置おいて、換気時には、室内空気用ヒータおよび外気用ヒータには通電せず、排気ファンおよび給気ファンだけを回転駆動させて、排気ファンにより室内空気を建物の外へ排出する一方、給気ファンにより建物の外の外気を室内に給気することによって、室内の換気を行う。
【０００４】
また、除湿時には、室内空気用ヒータには通電せず外気用ヒータだけに通電し、同時に排気ファンおよび給気ファンを回転駆動させて、排気ファンにより室内空気を除加湿ロータを通して室内に循環させる一方、給気ファンにより外気を吸い込み、その外気を外気用ヒータで加熱してから除加湿ロータを通して建物の外の外気中へ排出することによって、除加湿ロータで室内空気を除湿する。
【０００５】
さらに、加湿時には、逆に外気用ヒータには通電せず室内空気用ヒータだけに通電し、同時に排気ファンおよび給気ファンを回転駆動させて、排気ファンにより室内空気を吸引し、その室内空気を室内空気用ヒータで加熱してから除加湿ロータを通して室内に循環させる一方、給気ファンにより外気を除加湿ロータを通して建物の外の外気中へ排出することによって、除加湿ロータで室内空気を加湿する。
【０００６】
また、上記構成（つまり排気ファン、給気ファン、室内空気用ヒータ、外気用ヒータ、および除加湿ロータ）に加えて全熱交換器が設けられた換気装置も知られている。このような換気装置は、除湿機能および加湿機能に加えて、排気ファンにより建物の外へ排出される室内空気と、給気ファンにより室内へ給気される外気との間で全熱交換を行う機能も有している。
【０００７】
【特許文献１】
特許第２８３５６９５号（第２−４頁、第１−３図）
【０００８】
【発明が解決しようとする課題】
しかしながら、上記従来技術のうち除湿機能および加湿機能だけを有する前者の換気装置では、換気、除湿および加湿の切換えを、室内空気の風路と外気の風路とを切換ることによって行っているために、除湿時や加湿時に換気を行うことができず、換気を行うには風路切換を行って、除湿や加湿の間に間欠的に運転せざるを得ない。間欠的な換気運転では、除湿時または加湿時には新鮮な外気が室内に給気されていないことになり、常時換気が行われる２４時間換気の場合、シックハウス症候群などを考慮すると、居住者の健康を守る面からも好ましくない。
【０００９】
また、上記換気装置では、除加湿ロータを通過するとき室内空気と外気は対向流となっている。対向流にすれば、処理面側で水分を吸着したロータ面が再生側では室外排出側になるため、除加湿量を十分に確保できるからである。
【００１０】
しかし、室内空気と外気が対向流であると、ロータ面での抵抗を考慮して排気ファンおよび給気ファンの各々にモータを接続した、いわゆる２モータ２ファン形式となり風路が複雑化して、換気装置全体が大型化する欠点がある。また、室内空気や外気が除加湿ロータを通過する際には、通過前では圧力が大きく通過後では圧力が小さくなるため、対向流では同一ロータ端面で圧力差を生じ、小さな隙間でもガス（空気）移行が発生し、換気や除加湿の効率が低下する。
【００１１】
さらに、上記従来技術のうち除湿機能および加湿機能に加えて全熱交換機能を有する後者の換気装置では、除加湿ロータと全熱交換器の２つ機器が必要であり、換気装置のコストが高くなってしまう欠点がある。
【００１２】
本発明の課題は、全熱交換と除加湿を単一の除加湿ロータで行うことができ、しかも除湿または加湿を換気と同時にかつ連続的に行うことのできる換気装置を提供することにある。
【００１３】
【課題を解決するための手段】
上記課題を解決するために、請求項１に記載の発明は、室内空気を吸引し建物の外へ排出するとともに、建物の外の外気を吸い込んで室内に給気して、前記建物内の部屋の換気を行い、全熱交換および少なくとも除湿または加湿を行う全熱除加湿手段を用いた換気装置であって、前記部屋に給気する外気に対して除湿または加湿を換気と同時にかつ連続的に行う機能を備えたことを特徴としている。
【００１４】
上記構成の換気装置によれば、除加湿ロータを用いて、全熱交換を行うことができ、しかも除湿または加湿を換気と同時にかつ連続的に行うことが可能である。その結果、２４時間換気用の換気装置として使用することができる。
【００１５】
請求項２に記載の発明は、室内空気を吸引し建物の外へ排出するとともに、建物の外の外気を吸い込んで室内に給気して、前記建物内の部屋の換気を行う換気装置であって、前記室内空気および前記外気の流路内に設置され、回転しながら室内空気と外気との間で湿分の授受を行い、少なくとも除湿または加湿を行う除加湿および全熱交換を行う除加湿ロータと、前記室内空気と前記外気を、前記除加湿ロータにその回転軸に沿って同じ方向に流す流れ方向制御手段と、前記流れ方向制御手段によって流れ方向が制御された前記室内空気および前記外気を、前記除加湿ロータの上流側でそれぞれ別個に加熱可能なヒータとを備えたことを特徴としている。
【００１６】
上記構成によれば、室内空気を吸引し建物の外へ排出するとともに、建物の外の外気を吸い込んで室内に給気しているので、換気を連続的に行うことができる。そして、換気時に、除加湿ロータの室内空気流入側をヒータで加熱しておくと、外気は除加湿ロータによって湿分が取り除かれて乾燥した空気として室内に給気され、室内空気はヒータで加熱されて相対湿度が低下した後に、除加湿ロータから湿分を奪い取って外気中へ排出されるため、室内空気の除湿を行うことができる。その結果、換気と除湿を同時に連続して行うことが可能となる。
【００１７】
また、換気時に、除加湿ロータの外気流入側をヒータで加熱しておくと、室内空気は除加湿ロータによって湿分が取り除かれて外気中へ排出され、外気はヒータで加熱されて相対湿度が低下した後に、除加湿ロータから湿分を奪い取って室内へ給気されるため、室内空気の加湿を行うことができる。その結果、換気と加湿を同時に連続して行うことが可能となる。
【００１８】
さらに、上記構成によれば、ヒータに通電しないときは、除加湿ロータだけを用いて室内空気と外気との間で全熱交換を行うことができる。すなわち、冬期には室内空気は外気よりも温度が高いが、除加湿ロータにおいて室内空気と外気との間で熱交換が行われ、室内空気が持っていた熱は外気に伝えられて、部屋へ給気される空気温度が上昇する。このとき、室内空気の湿分は除加湿ロータで取り除かれ、その取り除かれた湿分は、除加湿ロータを通過する外気に渡されて部屋に戻される。その結果、室内空気と外気との間の熱交換は、顕熱だけでなく潜熱も交換される全熱交換となっている。
【００１９】
また、夏期には室内空気は外気よりも温度が低いが、除加湿ロータにおいて室内空気と外気との間で熱交換が行われ、室内空気が持っていた冷熱は外気に伝えられて、部屋へ給気される空気温度が下降する。このときも、外気の湿分は除加湿ロータで取り除かれ、その取り除かれた湿分は、除加湿ロータを通過する室内空気に渡されて外気中に戻されるので、室内空気と外気との間の熱交換は全熱交換となっている。
【００２０】
請求項３は請求項２を更に具体化したものである。すなわち、請求項３に記載の発明は、回転駆動されて室内空気を建物の外へ排出する排気ファンと、回転駆動されて建物の外の外気を吸い込み室内へ給気する給気ファンと、前記室内空気の流れに沿って前記排気ファンの下流側でかつ前記外気の流れに沿って前記給気ファンの上流側に設置され、回転しながら前記室内空気と前記外気との間で湿分の授受を行い、少なくとも除湿または加湿を行う除加湿および全熱交換を行う除加湿ロータと、前記室内空気と前記外気を、前記除加湿ロータにその回転軸に沿って同じ方向に流す流れ方向制御手段と、前記室内空気の流れに沿って前記排気ファンと前記除加湿ロータとの間に設置され、前記除加湿ロータに流入する前記室内空気を加熱可能な室内空気用ヒータと、前記外気の流れに沿って前記除加湿ロータの上流側に設置され、前記除加湿ロータに流入する前記外気を加熱可能な外気用ヒータとを備えたことを特徴としている。
【００２１】
また、請求項４に記載の発明は、請求項３において、前記排気ファンおよび前記給気ファンは１つのモータで回転駆動されることを特徴としている。
【００２２】
さらに、請求項５に記載の発明は住宅構造の発明で、請求項１〜４のいずれか１項に記載の換気装置を備えたことを特徴としている。
【００２３】
【発明の実施の形態】
以下、本発明の実施の形態を図面に従って説明する。
（実施の形態１）
図１は実施の形態１による換気装置１を示しており、建物の屋根裏２に設置された換気装置１の縦断面図である。また、図２（ａ）は図１のＡ１−Ａ２−Ａ３−Ａ４線に沿った断面図、図３は図１のＢ１−Ｂ２−Ｂ３−Ｂ４−Ｂ５−Ｂ６−Ｂ７−Ｂ８線に沿った断面図、図４は図１のＣ１−Ｃ２−Ｃ３−Ｃ４−Ｃ５−Ｃ６線に沿った断面図である。
【００２４】
換気装置１は、図１〜図４に示すように、建物の天井３上に載置され、また建物の側壁４近くに配置されている。換気装置１は、金属パネルからなる箱型の本体ケース５を備え、この本体ケース５の一側には外気吸込口６および室内空気排出口７が設けられている。建物の側壁４と外気吸込口６とはダクト８で、側壁４と室内空気排出口７とはダクト９でそれぞれ接続されている。なお、外気吸込口６には、塵埃を除去するフィルタ１０が取り付けられている。
【００２５】
また、本体ケース５の他側には給気口１１が設けられ、この給気口１１にはダクト１２の一端が取り付けられいる。ダクト１２の他端は途中に設けられた分岐チャンバ（図示省略）によって分岐され、分岐された各ダクトの先端は複数の部屋に接続されている。なお、分岐チャンバを用いずに、ダクト１２の他端を一つの部屋に接続するようにしてもよい。また、図２（ｂ）のように本体ケース５に設けられた複数の給気口にダクト１２をそれぞれ取り付けて、各ダクト１２を介して各部屋に給気する構成でもよい。
【００２６】
本体ケース５の内部は、上下方向に設けられた仕切り壁１３によって、建物の側壁４に近い側（図１の左側）の空間と、建物の側壁４から遠い側（図１の右側）の空間とに分割されている。建物の側壁４に近い側の空間は横壁１４によって上下に分割され、さらに上下に分割された各空間は、縦壁１５によって水平方向に沿って２つの室に分割されている。すなわち、建物の側壁４に近い側の空間には、横壁１４の下側に室１６，１７が、横壁１４の上側に室１８，１９がそれぞれ形成されている。ここでは、室１６，１７や室１８，１９は流れ方向制御手段を構成している。なお、ダクト８は室１７に、ダクト９は室１８にそれぞれ連通している。
【００２７】
建物の側壁４から遠い側の空間は横壁２０によって上下に分割され、横壁２０の下側に室２１が、横壁２０の上側に室２２がそれぞれ形成されている。なお、ダクト１２は室２２に連通している。
【００２８】
仕切り壁１３には、室１６と室２１との間に開口２３が、室１９と室２２との間に開口２４がそれぞれ形成されている。また、室２１において、本体ケース５の下壁５Ａには、天井３を有する部屋２５に開口した室内空気吸込開口２６が設けられている。
【００２９】
また、横壁１４には円盤状をなした除加湿ロータ２７が水平に設置されている。この除加湿ロータ２７は、本体ケースの上壁５Ｂに固定された支持軸２８の端部に回転自在に取り付けられている。除加湿ロータ２７はその外表面が、横壁１４下側の室１６，１７内および横壁１４上側の室１８，１９内に略均等に露出している。
【００３０】
除加湿ロータ２７は、シリカゲル、ゼオライト、塩化リチウムなどの吸湿剤を含浸させたセルロースやセラミック繊維で構成されている。図示してないが、除加湿ロータ２７には、その外周面にギアが設けられ、このギアに例えばピニオン等をかみ合わせて、このピニオンを回転させることにより、除加湿ロータ２７を一定方向に所定の速度で回転させることができる。なお、除加湿ロータ２７の外周にベルトを掛けまわして、このベルトを周回させることによっても、同様に除加湿ロータ２７を一定方向に所定の速度で回転させることができる。
【００３１】
また、除加湿ロータ２７には多数の小穴２７Ａが形成され、これら小穴２７Ａを介して部屋１６と部屋１８とは互いに連通され、また部屋１７と部屋１９も小穴２７Ａを介して互に連通されている。各小穴２７Ａはハニカム構造に形成されている。
【００３２】
室１６には除加湿ロータ２７の下方に室内空気用ヒータとしてヒータ３０が、また室１７には除加湿ロータ２７の下方に外気用ヒータとしてヒータ３１がそれぞれ設置されている。図示してないが、ヒータ３０，３１は本体ケースの下壁５Ａに固定されている。
【００３３】
また、室２１には排気ファン３２が、室２２には給気ファン３３がそれぞれ設けられている。これら排気ファン３２および給気ファン３３は、横壁２０に取り付けられたモータ３４の回転軸３４Ａに連結されている。
【００３４】
次に、上記構成の換気装置１の動作を、図５および図６を用いて説明する。なお、図５および図６においては、分かりやすくするために、外気吸込口６、室内空気排出口７、ダクト８，９、給気口１１、ダクト１２、開口２３，２４、室内空気吸込開口２６、およびヒータ３０，３１は紙面同一面上に描かれている。
【００３５】
先ず、夏期等において部屋を除湿する場合は、モータ３４を回転させて排気ファン３２と給気ファン３３を回転駆動し、さらにヒータ３０に通電する。そうすると、建物の外の外気ＯＡは、図５および図６に示すように、給気ファン３３によってダクト８を介して室１７内に吸い込まれる。室１７内の外気ＯＡは除加湿ロータ２７を通過する際に、その湿分が、除加湿ロータ２７に含浸された吸湿剤に吸収され、その後、室１９、仕切り壁１３の開口２４、室２２を通り、さらにダクト１２を介して建物内の各部屋に、乾燥した給気ＳＡとして供給される。
【００３６】
一方、排気ファン３２に吸引されて、部屋２５内の室内空気ＲＡは室内空気吸込開口２６を介して室２１内に流れ、さらに仕切り壁１３の開口２３を通って室１６内に流入する。そして、ヒータで加熱されて相対湿度が下がった温風となって除加湿ロータ２７に送られる。除加湿ロータ２７に送られた温風は、除加湿ロータ２７の小穴２７Ａを通過する際に、吸湿剤に吸収されていた湿分を除加湿ロータ２７から奪い取り、その後、室１８、ダクト９を介して、湿分を含む暖かい排出空気ＥＡとして建物の外へ排出される。
【００３７】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対する除湿も行うことが可能となる。
【００３８】
次に、冬期等において部屋を加湿する場合は、モータ３４を回転させて排気ファン３２と給気ファン３３を回転駆動し、さらにヒータ３１に通電する。そうすると、図５および図６に示すように、排気ファン３２に吸引されて、部屋２５内の室内空気ＲＡは室内空気吸込開口２６を介して室２１内に流れ、さらに仕切り壁１３の開口２３を通って室１６内に流入する。そして、流入した室内空気ＲＡは除加湿ロータ２７を通過する際に、その湿分が、除加湿ロータ２７に含浸された吸湿剤に吸収され、その後、室１９、ダクト９を介して、乾燥した排出空気ＥＡとして建物の外へ排出される。
【００３９】
一方、建物の外の外気ＯＡは、給気ファン３３によってダクト８を介して室１７内に吸い込まれる。吸い込まれた外気ＯＡはヒータ３１で加熱されて相対湿度が下がった温風となって除加湿ロータ２７に送られる。除加湿ロータ２７に送られた温風は、除加湿ロータ２７の小穴２７Ａを通過する際に、吸湿剤に吸収されていた湿分を除加湿ロータ２７から奪い取り、その後、室１９、仕切り壁１３の開口２４、室２２を通り、さらにダクト１２を介して建物内の各部屋に、湿分を含む給気ＳＡとして供給される。
【００４０】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対して加湿も行うことが可能となる。
【００４１】
次に、ヒータ３０，３１の双方とも通電しないで、排気ファン３２と給気ファン３３だけを回転駆動させた場合、排気ファン３２によって吸引された室内空気ＲＡと、給気ファン３３によって吸い込まれた外気ＯＡが除加湿ロータ２７を通過する際に、室内空気ＲＡと外気ＯＡとの間で顕熱と潜熱を交換する全熱交換を行わせることができる。
【００４２】
すなわち、夏期等の冷房時に除湿は行わず換気だけを行う場合は、ヒータ３０，３１には通電せず、モータ３４によって排気ファン３２と給気ファン３３だけを回転駆動させる。そうすると、排気ファン３２によって室内空気吸込開口２６を介して吸引された冷たい室内空気ＲＡと、給気ファン３３によってダクト８を介して吸い込まれた暖かい外気ＯＡとが除加湿ロータ２７を通過する際に、室内空気ＲＡと外気ＯＡとの間で全熱交換が行われる。その結果、建物の外へ排出される排出空気ＥＡの温度と湿度が高くなり、反対に建物内の各部屋に供給される給気ＳＡの温度と湿度が低くなるので、換気時の冷房効率の低下を極力抑えることが可能となる。
【００４３】
冬期等の暖房時に加湿は行わず換気だけを行う場合は、ヒータ３０，３１には通電せず、モータ３４によって排気ファン３２と給気ファン３３だけを回転駆動させる。そうすると、排気ファン３２によって室内空気吸込開口２６を介して吸引された暖かい室内空気ＲＡと、給気ファン３３によってダクト８を介して吸い込まれた冷たい外気ＯＡとが除加湿ロータ２７を通過する際に、室内空気ＲＡと外気ＯＡとの間で全熱交換が行われる。その結果、建物の外へ排出される排出空気ＥＡの温度と湿度が低くなり、反対に建物内の各部屋に供給される給気ＳＡの温度と湿度が高くなるので、換気時の暖房効率の低下を極力抑えることが可能となる。
【００４４】
なお、除加湿ロータ２７の回転速度は、全熱交換換気時には数十回転／分であるのに対して、除湿時または加湿時には数回転／分に設定されており、全熱交換換気時と除加湿時とでは回転数を変更するようになっている。
【００４５】
全熱交換換気時では除加湿ロータ２７を高速回転とすることにより、ロータ表面に流入する空気の温度および湿度は、流出する空気と同じ温度に且つ同じ湿度に近づくことになり、全熱交換を行うことができる。また、除湿時または加湿時では除加湿ロータ２７が低速回転であるため、ロータ断面の空気通過部分で湿分の授受が容易となって、除湿および加湿を行うことができる。
【００４６】
また、本実施の形態では、排気ファン３２で吸引された室内空気ＲＡと、給気ファン３３で吸い込まれた外気ＯＡが、除加湿ロータ２７の回転軸に沿って同じ方向（図１において下から上へ）に流れているので、除加湿ロータ２７端面上で圧力差が起こらない。その結果、除加湿ロータ２７端面上でのガス移行、すなわち室内空気ＲＡと外気ＯＡとが混ざってしまう現象が発生することはなく、換気や除加湿の効率低下を抑制することができる。
【００４７】
（実施の形態２）
次に、実施の形態２について説明する。図７および図８は実施の形態２による換気装置１を示しており、図７は換気装置１の縦断面図、図８は図７のＡ１−Ａ２−Ａ３−Ａ４−Ａ５−Ａ６線に沿った断面図である。
【００４８】
本実施の形態では、本体ケース５の他側（図７の右側）に給気口１１に加えて室内空気吸込口１１Ａが設けられ、この室内空気吸込口１１Ａにはダクト１２Ａの一端が取り付けられている。ダクト１２Ａの他端は特定の部屋（例えばダイニングルーム等）の天井に接続されている。他の構成は実施の形態１の場合と同様である。
【００４９】
実施の形態１の構成では、部屋２５以外の各部屋の室内空気ＲＡは、各部屋のドア下部に設けられたアンダーカット部を通して部屋２５に集められ、さらに部屋２５の天井３に設けられた換気装置１を介して建物の外へ排出される。
【００５０】
これに対し、本実施の形態では、排気ファン３２を回転駆動させると、排気ファン３２に吸引されて、部屋２５内の室内空気ＲＡは室内空気吸込開口２６を介して室２１内に流入し、また同時に、特定の部屋の室内空気ＲＡもダクト１２Ａを介して室２１内に流入する。つまり、本実施の形態では、リビング等の特定の部屋の室内空気ＲＡは、室内空気吸込口１１Ａに繋がる開口すなわち第２の室内空気吸込開口５５（図１０および図１１参照）より吸い込まれ、さらに隣接した部屋の室内空気ＲＡもガラリを通してリビング等の特定の部屋に集められて、第２の室内空気吸込開口５５よりダクト１２Ａを介して室内空気吸込口１１Ａに導かれる。
【００５１】
第２の室内空気吸込開口５５は、換気が特に必要と思われる箇所や本体ケース５の室内空気吸込開口２６から離れた箇所に設けられている。このような構成により、室内空気吸込開口２６や室内空気吸込口１１Ａから効率よく室内空気ＲＡを吸い込むことが可能となり、住宅全体の換気を効率よく行うことができる。
【００５２】
なお、本実施の形態において、室内空気吸込開口２６は廃止するとともに、室内空気吸込口１１Ａは残して、この室内空気吸込口１１Ａにダクト１２Ａの一端を取り付けた構成にすることもできる。この場合、実施の形態１のダクト１２と同様、ダクト１２Ａの他端は途中に設けられた分岐チャンバによって分岐され、分岐された各ダクトの先端が複数の部屋に接続されるか、分岐チャンバを用いず、複数の部屋の空気がアンダーカット部を通して天井面等に設けられたダクト他端に接続される吸込口から吸い込むようにしてもよい。
【００５３】
（実施の形態３）
次に、実施の形態３を図９を用いて説明する。本実施の形態は、実施の形態１の換気装置１を備える一戸建て住宅の一例である。一戸建て住宅４０は１階と２階に分けられ、各階に換気装置１が設置されている。各階の換気装置１には給気ＳＡが通るダクト１２が取り付けられており、このダクト１２は分岐チャンバ４１で分岐されている。分岐された各ダクト１２Ｂの先端には、各部屋に開口した給気口４２が設けられている。また、各階の換気装置１には、外気ＯＡが通るダクト８と排出空気ＥＡが通るダクト９が取り付けられ、ダクト８の先端には吸込フード４３が、ダクト９の先端には排気フード４４がそれぞれ設けられている。
【００５４】
上記構成において、室内空気ＲＡは室内空気吸込開口２６（図１参照）を介して換気装置１内に吸引された後、ダクト９を通って排気フード４４から排出空気ＥＡとして外気中に排出され、一方、外気ＯＡは吸込フード４３およびダクト８を通って換気装置１内に吸い込まれた後、ダクト１２、分岐チャンバ４１および各ダクト１２Ｂを通って給気口４２から各部屋に給気ＳＡとして供給される。そして、換気装置１によって、換気が行われると同時に、室内空気ＲＡと外気ＯＡとの間で全熱交換や除湿または加湿が行われる。
【００５５】
なお、実施の形態１の換気装置１をマンション内の各住宅すなわち住戸に設置することもできる。
【００５６】
（実施の形態４）
次に、実施の形態４を図１０を用いて説明する。本実施の形態は、実施の形態２の換気装置１を備える一戸建て住宅（住戸）の一例である。住宅５０内の通路５１の天井には換気装置１が設置されている。換気装置１には給気ＳＡが通るダクト１２が取り付けられており、このダクト１２は分岐チャンバ４１で３つに分岐されている。分岐された各ダクト１２Ｂの先端には給気口４２が取り付けられ、これらの給気口４２のうちは、２つの給気口はダイニング・リビングルーム５２に、残りの１つの給気口は和室５３にそれぞれ設けられている。
【００５７】
また、本実施の形態では、換気装置１に室内空気ＲＡが通るダクト１２Ａが取り付けられており、このダクト１２Ａの先端には洗面所５４に開口した第２の室内空気吸込開口５５が取り付けられている。なお、ダクト８，９、吸込フード４３および排気フード４４については、実施の形態３の場合と同様である。
【００５８】
上記構成において、室内空気ＲＡは換気装置１内に吸引された後に排出空気ＥＡとして外気中に排出され、外気ＯＡは換気装置１内に吸い込まれた後にダイニング・リビングルーム５２および和室５３に給気Ｓとして供給されて、実施の形態３と同様、換気装置１によって換気が行われ、また、この換気時に室内空気ＲＡと外気ＯＡとの間で全熱交換や除湿または加湿が行われる。
【００５９】
ダイニング・リビングルーム５２に供給された給気ＳＡは、室内空気ＲＡとなって引き戸５６下部のアンダーカット部（図示省略）を矢印Ａのように流れ、また和室５３に供給された給気ＳＡも、室内空気ＲＡとなってドア５７下部のアンダーカット部（図示省略）を矢印Ｂのように流れて、通路５１に集められ、室内空気吸込開口２６（図１参照）を介して換気装置１内に流入する。
【００６０】
また、上記構成においては、洗面所５４の室内空気ＲＡが第２の室内空気吸込開口５５から吸い込まれ、ダクト１２Ａを通って換気装置１内に流入し、この室内空気ＲＡは、室内空気吸込開口２６を介して流入した室内空気ＲＡと共に排出空気ＥＡとして外気中に排出される。このように第２の室内空気吸込開口５５を設けたことにより、洗面所５４専用の局所換気扇を設けなくてもよくなるとともに、本換気装置１の除湿機能を用いた運転を行うことにより、浴室等に隣接する場合が多く湿度も高い洗面所の除湿を効果的に行うことができる。
【００６１】
（実施の形態５）
次に、実施の形態５を図１１を用いて説明する。本実施の形態は、実施の形態２の換気装置１を備えるマンション内の住宅の一例である。住宅６０内の通路６１の天井には換気装置１が設置されている。換気装置１には給気ＳＡが通るダクト１２が取り付けられており、このダクト１２は分岐チャンバ４１で４つに分岐されている。分岐された各ダクト１２Ｂの先端には給気口４２が取り付けられ、これらの給気口４２は、ダイニング・リビングルーム６２、和室６３、および洋室６４，６５にそれぞれ設けられている。
【００６２】
また、換気装置１に室内空気ＲＡが通るダクト１２Ａが取り付けられており、このダクト１２Ａの先端にはダイニング・リビングルーム６２に開口した第２の室内空気吸込開口５５が取り付けられている。なお、ダクト８，９、吸込フード４３および排気フード４４については、実施の形態３の場合と同様である。
【００６３】
上記構成において、室内空気ＲＡは換気装置１内に吸引された後に排出空気ＥＡとして外気中に排出され、外気ＯＡは換気装置１内に吸い込まれた後にダイニング・リビングルーム６２、和室６３および洋室６４，６５に給気Ｓとして供給されて、実施の形態３と同様、換気装置１によって換気が行われ、また、この換気時に室内空気ＲＡと外気ＯＡとの間で全熱交換や除湿または加湿が行われる。
【００６４】
ダイニング・リビングルーム６２および和室６３に供給された給気ＳＡは、室内空気ＲＡとなってドア６６下部のアンダーカット部（図示省略）を矢印Ｃのように流れ、また洋室６４，６５に供給された給気ＳＡも、室内空気ＲＡとなってドア６７，６８下部のアンダーカット部（図示省略）をそれぞれ矢印Ｄ，Ｅのように流れて、通路６１に集められ、室内空気吸込開口２６（図１参照）を介して換気装置１内に流入する。
【００６５】
また、上記構成においては、ダイニング・リビングルーム６２の室内空気ＲＡが第２の室内空気吸込開口５５から吸い込まれ、ダクト１２Ａを通って換気装置１内に流入し、この室内空気ＲＡは、室内空気吸込開口２６を介して流入した室内空気ＲＡと共に排出空気ＥＡとして外気中に排出される。
【００６６】
なお、上記各実施の形態において、住宅とは一戸建て住宅のみでなくマンション等の集合住宅の住戸も含むものである。
【００６７】
【発明の効果】
以上説明したように、本発明によれば、全熱交換と除加湿を単一の除加湿ロータで行うことができ、しかも除湿または加湿を換気と同時にかつ連続的に行うことができるので、２４時間換気用換気装置として最適な換気装置を実現できる。
【図面の簡単な説明】
【図１】実施の形態１による換気装置の縦断面図である。
【図２】図１のＡ１−Ａ２−Ａ３−Ａ４線に沿った断面図である。
【図３】図１のＢ１−Ｂ２−Ｂ３−Ｂ４−Ｂ５−Ｂ６−Ｂ７−Ｂ８線に沿った断面図である。
【図４】図１のＣ１−Ｃ２−Ｃ３−Ｃ４−Ｃ５−Ｃ６線に沿った断面図である。
【図５】図１の換気装置の動作を説明した図である。
【図６】図１の換気装置の動作を説明した図である。
【図７】実施の形態２による換気装置の縦断面図である。
【図８】図８のＡ１−Ａ２−Ａ３−Ａ４−Ａ５−Ａ６線に沿った断面図である。
【図９】実施の形態３による一戸建て住宅の説明図である。
【図１０】実施の形態４による一戸建て住宅の平面図である。
【図１１】実施の形態５によるマンション内の住宅の平面図である。
【符号の説明】
１  換気装置
１３  仕切り壁
１４，２０  横壁
１５  縦壁
１６〜１９，２１，２２  室
２３，２４  開口
２７  除加湿ロータ
３０，３１  ヒータ
３２  排気ファン
３３  給気ファン
３４  モータ
４０，５０，６０  住宅
ＲＡ  室内空気
ＥＡ  排出空気
ＯＡ  外気
ＳＡ  給気
【図１】
2005016810.tif 000003
【図２】
2005016810.tif 000004
【図３】
2005016810.tif 000005
【図４】
2005016810.tif 000006
【図５】
2005016810.tif 000007
【図６】
2005016810.tif 000008
【図７】
2005016810.tif 000009
【図８】
2005016810.tif 000010
【図９】
2005016810.tif 000011
【図１０】
2005016810.tif 000012
【図１１】
2005016810.tif 000013